(57)【要約】　　　（修正有）【課題】水槽の上部開口部に受け皿を設置し、植物の根を水苔で、または用土と水苔でくるんで加工した苔玉盆栽を受け皿の上に置き、水槽内に入れた水で植物に自動給水するための紐を受け皿に設け、水槽の上に植物を飾れるようし、植物に自動給水することを特長とした受け皿付き水槽を提供するものである。【解決手段】水槽１の上部開口部に受け皿２を設置し、受け皿の中央部に吸水用の紐６を通す穴を設け、紐用の穴の上部側面に紐を固定するためと植物を固定するためのの釘５を設け、釘に紐の一端を刺し通し、紐の他の一端を受け皿に開けた穴より通し水槽内に垂らし、水槽内に水を入れ、水槽内に垂らした紐で受け皿の上に置く植物に吸水できるようにする。【選択図】図１
0003097040.tif 000002
【実用新案登録請求の範囲】
【請求項１】
水槽の上部開口部に受け皿を設置し、植物の根を水苔で、または用土と水苔でくるんで加工した苔玉盆栽を受け皿の上に置き、水槽の上に植物を飾れるようにし、水槽内に入れた水で植物に自動給水するための紐を受け皿に設け、植物に自動給水することを特長とした受け皿付き水槽。
【請求項２】
請求項１の受け皿付き水槽において、受け皿の下に濾過材受け具とエアーレーション部材を設置し、水槽内の水をエアーリフトで濾過材へ循環させ、水槽内の水を濾過し、さらにエアーリフトで吹き上げた水を植物に吸水させ、水槽の上に植物を飾れるようにし、水槽内の水の濾過と植物への吸水を可能にしたことを特長とする受け皿付き水槽。
【請求項３】
請求項１の受け皿付き水槽において、受け皿の下に濾過材受け具と水中ポンプを設置し、水中ポンプで水槽内の水を濾過材へ循環させ水槽内の水を濾過し、さらにエアーポンプで吹き上げた水を植物に吸水させ、水槽の上に植物を飾れるようにし、水槽内の水の濾過と植物への吸水を可能にしたことを特長とする受け皿付き水槽。
【請求項４】
請求項３の受け皿付き水槽において、受け皿に水中ポンプで吹きあげた水を一定量の水位に保ち鉢に入れた植物に吸水できるようにし、水槽の上に植物を飾れるようにし、水槽内の水の濾過と植物への吸水を可能にしたことを特長とする受け皿付き水槽。
【請求項５】
請求項１から請求項４の受け皿付き水槽において、受け皿を水槽の蓋を兼ねるように構成し、運搬時に水槽内の水をこぼれにくくしたことを特長とする受け皿付き水槽。
【考案の詳細な説明】
【０００１】
【考案が解決しようとする課題】
本考案は、植物と観賞魚、または植物と水槽内に造花、フィギア、貝殻等を入れ、一つの容器で植物と水槽内に入れた観賞魚または装飾物を楽しむもので、植物に水槽内に入れた水で自動給水するための紐を受け皿に設けた受け皿付き水槽を提供するものである。
【０００２】
本考案は、植物と観賞魚を一つの容器で楽しむもので、受け皿の下に濾過材受け具とエアーレーション部材を設置し、水槽内の水をエアーリフトで濾過材へ循環させ、水槽内の水を濾過し、さらにエアーリフトで吹き上げた水を植物に吸水させ、水槽内の水の濾過と植物への吸水を可能にした受け皿付き水槽を提供するものである。
【０００３】
本考案は、植物と観賞魚を一つの容器で楽しむもので、受け皿の下に濾過材受け具と水中ポンプを設置し、水中ポンプで水槽内の水を濾過材へ循環させ、水槽内の水を濾過し、さらにエアーポンプで吹き上げた水を植物に吸水させ、水槽内の水の濾過と植物への吸水を可能にした受け皿付き水槽を提供するものである。
【０００４】
本考案は、植物と観賞魚を一つの容器で楽しむもので、受け皿に水中ポンプで吹きあげた水を一定量の水位に保ち鉢に入れた植物に吸水できるようにし、水槽内の水の濾過と植物への吸水を可能にした受け皿付き水槽を提供するものである。
【０００５】
本考案は、植物と観賞魚、または植物と水槽内に造花、フィギア、貝殼等を入れ、一つの容器で植物と水槽内に入れた観賞魚または装飾物を楽しむもので、受け皿を水槽の蓋を兼ねるように構成し、運搬時に水槽内の水をこぼれにくくした受け皿付き水槽を提供するものである。
【０００６】
【課題を解決するための手段】
さらに本考案を実施するために、水槽の上部開口部に受け皿を設置し、受け皿の中央部に吸水用の紐を通す穴を設け、紐用の穴の上部側面に紐を固定する目的と植物を固定するためのの釘を設け、釘に紐の一端を刺し通し、紐の他の一端を受け皿に設けた穴より通し水槽内に垂らし、水槽内に水を入れ、水槽内に紐を垂らし、さらに釘に植物を刺し固定し植物に吸水できるようにする。
【０００７】
さらに本考案を実施するために、受け皿の下部に濾過材受け具とエアーレーション部材を設置し、水槽内の水をエアーポンプによるエアーリフトで濾過材へ循環させ、水槽内の水を濾過し、さらにエアーリフトで吹き上げた水を植物に吸水させるために、受け皿の中央部に穴を設け、水槽内の水の濾過と植物への吸水をおこなえるようにする。
【０００８】
さらに本考案を実施するために、受け皿の下部に濾過材受け具と水中ポンプを設置し、水中ポンプで水槽内の水を濾過材へ循環させ、水槽内の水を濾過し、さらにエアーポンプで吹き上げた水を植物に吸水させるために、受け皿の中央部に穴を設け、水槽内の水の濾過と植物への吸水をおこなえるようにする。
【０００９】
さらに本考案を実施するために、受け皿にポンプから放水する水を通す穴を設け、受け皿に水中ポンプで吹きあげた水を一定量の水位に保つ用に受け皿に任意の長さの排出用のパイプを設け、水中ポンプで吹きあげた水を一定量の水位を越えた水を排出用パイプから排出し、排出した水を濾過材に通し濾過し循環させ、受け皿に溜めた水で植物に吸水する。
【００１０】
さらに本考案を実施するために、受け皿を水槽の蓋を兼ねるように受け皿の下部と水槽の上部にねじを設け、受け皿で水槽の開口部を蓋をできるようにする。
【００１１】
【考案の効果】
従来、観葉植物と観賞魚は一つの容器で楽しむことはできなかったが、水槽内に水と観賞魚を入れ、水槽の上部開口部に植物用受け皿を設置し、植物の根を水苔で、または用土と水苔でくるんで加工した苔玉盆栽を受け皿に置き、水槽内に入れた水で植物に自動給水するための紐を受け皿に設け、植物に自動給水できるようにすることで植物の管理が簡単になり、観賞魚と植物を一つの容器で楽しむことができる。
【００１２】
さらに、受け皿の下に濾過材受け具とエアーレーション部材を設置し、水槽内の水をエアーリフトで濾過材へ循環させ、水槽内の水を濾過し、さらにエアーリフトで吹き上げた水を植物に吸水させ、水槽内の水の濾過と植物への吸水を可能にすることにより植物の管理が簡単になり、水槽内の水を濾過することにより観賞魚の飼育環境が良くなり、植物と観賞魚を一つの容器で楽しむことができる。
【００１３】
さらに、受け皿の下に濾過材受け具と水中ポンプを設置し、水中ポンプで水槽内の水を濾過材へ循環させ、水槽内の水を濾過し、さらにエアーポンプで吹き上げた水を植物に吸水させ、水槽内の水の濾過と植物への吸水を可能にすることにより植物の管理が簡単になり、水槽内の水を濾過することにより観賞魚の飼育環境が良くなり、植物と観賞魚を一つの容器で楽しむことができる。
【００１４】
さらに、受け皿に水中ポンプで吹きあげた水を一定量の水位に保ち鉢に入れた植物に吸水できるようにし、水槽内の水の濾過と植物への吸水を可能にすることにより植物の管理が簡単になり、水槽内の水を濾過することにより観賞魚の飼育環境が良くなり、植物と観賞魚を一つの容器で楽しむことができる。
【００１５】
さらに、受け皿を水槽の蓋を兼ねるように構成し、水槽の運搬時や転倒時に水槽内の水をこぼれにくくし、水槽内の水の流出を防ぐ。
【図面の簡単な説明】
【図１】図１はこの考案になる受け皿付き水槽で、水槽の上に受け皿と植物を設置した実施例の一例を示す概略的な断面図である。
【図２】図２はこの考案になる受け皿付き水槽で、受け皿の下に濾過材受け具とエアーレーション用の部材を設置した実施例の一例を示す概略的な断面図である。
【図３】図３はこの考案になる受け皿付き水槽で、受け皿の下に濾過材受けと水中ポンプを設置した実施例の一例を示す概略的な断面図である。
【図４】図４はこの考案になる受け皿付き水槽で、受け皿の下に濾過材受けと水中ポンプを設置し受け皿の上に鉢入り植物を設置した実施例の一例を示す概略的な断面図である。
【図５】図５はこの考案になる受け皿付き水槽で、受け皿で水槽の蓋を兼ねるように構成した実施例の一例を示す概略的な断面図である。
【符号】
１水槽
２受け皿
３苔玉
４植物
５釘
６紐
７空気穴
８魚
９水
１０パッキン
１１濾過材受け具
１２濾過材
１３エアーストーン
１４気泡誘導パイプ
１５エアーポンプへ
１６エアーチューブ
１７噴流水排出口
１８排水口
１９飾り石
２０噴流水
２１ポンプ
２２ポンプ吸水口
２３ポンプ排水口
２４電源プラグ
２５濾過水排出口
２６気泡
２７鉢
２８ねじ
【図１】
0003097040.tif 000003
【図２】
0003097040.tif 000004
【図３】
0003097040.tif 000005
【図４】
0003097040.tif 000006
【図５】
0003097040.tif 000007